(57)【要約】【課題】  簡単で、小さなスペースに実装可能な炊飯器の蓋ストッパ構造を提供する。【解決手段】  炊飯器１の本体２に開閉可能にヒンジピン１０で枢支した蓋体３の開き角度を規制する蓋ストッパ構造であって、ヒンジピン１０に回動可能に取り付けたストッパ１１を有し、ストッパ１１は、本体２に設けた第１ストッパ規制部７ａに当接することで、蓋体３を閉塞する方向へのストッパ１１の回動範囲が規制される第１当接部１１ｃと、本体２に設けた第２ストッパ規制部１２に当接することで、蓋体３を開放する方向へのストッパ１１の回動範囲が規制される第２当接部１１ｄと、蓋体３に設けた係止部３ｃを係止することで、蓋体３の開度を規制する蓋規制部１１ｃとを有する蓋ストッパ構造。【選択図】図３
2005198962.tif 000002
【特許請求の範囲】
【請求項１】
炊飯器の本体に開閉可能にヒンジピンで枢支した蓋体の開き角度を規制する蓋ストッパ構造であって、
前記ヒンジピンに回動可能に取り付けたストッパを有し、
前記ストッパは、前記本体に設けた第１ストッパ規制部に当接することで、前記蓋体を閉塞する方向への前記ストッパの回動範囲が規制される第１当接部と、
前記本体に設けた第２ストッパ規制部に当接することで、前記蓋体を開放する方向への前記ストッパの回動範囲が規制される第２当接部と、
前記蓋体に設けた係止部を係止することで、前記蓋体の開度を規制する蓋規制部とを有することを特徴とする蓋ストッパ構造。
【請求項２】
前記ストッパは、前記ヒンジピンと平行な平板からなる基部と、
前記基部の前記ヒンジピン方向の両端から垂直に延伸し、前記ヒンジピンが貫通する側板部と、前記基部から前記ヒンジピンと反対の方向に延伸する延伸部とからなり、
前記蓋規制部は、前記延伸部の先端に設けられ、
前記第２当接部は、前記側板部の一端に設けられていることを特徴とする請求項１に記載の蓋ストッパ構造。
【請求項３】
前記第１ストッパ規制部は、前記本体の前記ヒンジピンの内側に設けられた、前記ヒンジピンが支持される位置よりも高い壁部に設けられていることを特徴とする請求項１または２に記載の蓋ストッパ構造。
【請求項４】
前記第１当接部は、前記蓋規制部と同一の部分であることを特徴とする請求項１から３のいずれかに記載の蓋ストッパ構造。
【請求項５】
前記第２ストッパ規制部は、前記本体よりも硬い材質の部材であることを特徴とする請求項１から４のいずれかに記載の蓋ストッパ構造。
【請求項６】
前記第２ストッパ規制部は、前記ヒンジピンを保持する部材の一部であることを特徴とする請求項５に記載の蓋ストッパ構造。
【発明の詳細な説明】
【技術分野】
【０００１】
本発明は、炊飯器の蓋ストッパ構造に関する。
【背景技術】
【０００２】
炊飯器は、本体に蓋体が枢支されるが、蓋体が所定の角度を越えて開かないように規制するストッパ構造が必要である。従来の炊飯器は、蓋体の一部が本体に当接して該蓋体の開き角度を規制するようになっている。蓋体は、開放する方向にばね付勢されていることが多く、蓋体および本体は、樹脂成型品であることが多い。このような構造では、蓋体と本体が当接する部分に大きな力が加わるので、破損を防止するためにリブを設けるなどして強度を確保しなければならず、結果として蓋ストッパ構造が大きくなるという問題がある。
【０００３】
また、当接する位置をヒンジピンから離れた位置にすれば、支点となるヒンジピンからの距離に反比例して当接する力が弱まる。しかし、蓋ストッパ構造は当接する部分が移動する円弧状の軌跡を内包する大きな構造となるという問題がある。
【０００４】
特許文献１には、蓋体の回動をリンク機構によって移動体の直線運動に変換し、該移動体の移動を規制するストッパを設けた構造が開示されているが、構造が複雑なためにコストが高く、依然、蓋体および本体を薄くすることが難しい。また、特許文献２には、ヒンジ部のカバーを固定するためのビス孔外周部にリブを形成し、該リブに蓋体を当接させるストッパ構造が開示されているが、蓋体を当接させるために、やはり、蓋体の強度を確保する必要があり、薄い蓋体に採用することは難しい。
【特許文献１】特開平１０−３０４９７２号公報
【特許文献２】特開２００２−３６０４１８号公報
【発明の開示】
【発明が解決しようとする課題】
【０００５】
そこで、本発明は、簡単で、小さなスペースに実装可能な炊飯器の蓋ストッパ構造を提供することを課題とする。
【課題を解決するための手段】
【０００６】
本発明は、炊飯器の本体に開閉可能にヒンジピンで枢支した蓋体の開き角度を規制する蓋ストッパ構造であって、前記ヒンジピンに回動可能に取り付けたストッパを有し、前記ストッパは、前記本体に設けた第１ストッパ規制部に当接することで、前記蓋体を閉塞する方向への前記ストッパの回動範囲が規制される第１当接部と、前記本体に設けた第２ストッパ規制部に当接することで、前記蓋体を開放する方向への前記ストッパの回動範囲が規制される第２当接部と、前記蓋体に設けた係止部を係止することで、前記蓋体の開度を規制する蓋規制部とを有するものとする。
【０００７】
この構造によれば、前記蓋体を完全に閉めた閉塞状態では、前記ストッパは、前記第１当接部が前記第１ストッパ規制部に当接している。ここから前記蓋体を開放してゆくと、前記蓋体の被係止部が前記ストッパの係止部に当接し、さらに、前記蓋体を開放してゆくと、前記係止部が前記蓋係止部を押して、前記蓋体とともに、前記ストッパをヒンジ軸を中心に回動させる。そしてさらに、前記蓋体を最大の開き角度まで開放すると、前記ストッパの第２当接部が前記本体に設けた第２ストッパ規制部に当接することで、前記ストッパの回動が規制される。この回動を規制された前記ストッパは、前記係止部で前記蓋体の被係止部を係止して、前記蓋体が最大の開き角度より開放されないように規制する。
【０００８】
このようにストッパが蓋体とともに回動するので、前記蓋体が閉塞状態から前記被係止部が前記係止部に当接するまでに前記被係止部が描く円弧状の軌跡は、蓋体の中に内包されなければならず、前記ストッパが回動して前記第２被係止部が描く円弧状の軌跡は本体の厚みの中に内包されなければならない。つまり、蓋ストッパ構造のために必要な蓋体の回動角度を、閉塞状態から係止部が蓋規制部に当接するまでの角度と、係止部が蓋規制部に当接してから第２当接部が第２ストッパ規制部に当接する最大開き角度までの角度とに２分し、それぞれの角度に相当する蓋ストッパ構造が必要とするスペースを、蓋体および本体の厚みの中に分散して設けることができる。これによって、蓋ストッパのために必要なスペースを、蓋体および本体の厚みの中に最適に配分できるので、蓋ストッパ構造を実質的に小さなスペースに収納することができる。また、本発明の構造によれば、蓋対を規制する際の力が加わる位置を、ストッパの形状によって蓋体および本体の強度が高い位置に設定することができるので、蓋ストッパ構造のための補強が少なくて済み、結果として、蓋ストッパ構造を小さくすることができる。
【０００９】
また、本発明の蓋ストッパ構造において、前記ストッパは、前記ヒンジピンと平行な平板からなる基部と、前記基部の前記ヒンジピン方向の両端から垂直に延伸し、前記ヒンジピンが貫通する側板部と、前記基部から前記ヒンジピンと反対の方向に延伸する延伸部とからなり、前記蓋規制部は、前記延伸部の先端に設けられ、前記第２当接部は、前記側板部の一端に設けられているものとしてもよい。
【００１０】
この構造によれば、前記小さなスペースに収納することができる蓋ストッパ構造を構成するストッパを、簡単で安価なものにできる。
【００１１】
また、本発明の蓋ストッパ構造において、前記第１ストッパ規制部は、前記本体の前記ヒンジピンの内側に設けられた、前記ヒンジピンが支持される位置よりも高い壁部に設けてもよい。
【００１２】
この構造によれば、炊飯器が通常有している壁部をストッパの回動を規制する利用する第１ストッパ規制部に利用するので構造が簡単になる。
【００１３】
また、本発明の蓋ストッパ構造において、前記第１当接部は、前記蓋規制部と同一の部分であってもよい。
【００１４】
この構造によれば、前記壁部の上方に突出する前記蓋規制部が前記壁部の上部に設けた第１ストッパ規制部に当接することになる。これによって、前記壁部の上部に、前記ストッパとの間に無効な空間を作らないようにでき、蓋ストッパ構造を効率よく配置できることで蓋体を薄くすることができる。
【００１５】
また、本発明の蓋ストッパ構造において、前記第２ストッパ規制部は、前記本体よりも硬い材質の部材であってもよい。
【００１６】
この構造によれば、第２ストッパ規制部をヒンジピンから近い位置にしても第２ストッパ規制部の破損のおそれがない。第２当接部がヒンジピンから近い位置にできるので第２当接部が回動するために必要なスペースが小さくてすむ。これによって、回動角度の大きいストッパを薄い本体に収めることができ、本体を薄くしても蓋体の十分な開き角度が得られる。
【００１７】
また、本発明の蓋ストッパ構造において、前記第２ストッパ規制部は、前記ヒンジピンを保持する部材の一部であってもよい。
【００１８】
この構造によれば、部品点数を少なくでき、安価に製造できる。
【発明の効果】
【００１９】
以上のように、本発明によれば、簡単で、小さなスペースに実装することができる。
【発明を実施するための最良の形態】
【００２０】
図１は本発明の蓋ストッパ構造を備えた炊飯器１の断面図である。炊飯器１は、有底筒状の本体２と、該本体２に枢支されて本体２の上部開口を閉塞可能な蓋体３と、本体２に収容される鍋４とからなっている。本体２は２重構造になっており、台座となる底体５の上に外壁となる外胴６と、厚みを定めるとともに構造を支持する肩体７と、内壁となる内胴８と、内側の底となる保護枠９とからなっている。蓋体３は、肩体７にヒンジピン１０で回動可能に取り付けられ、さらに、ヒンジピン１０には折り曲げた１枚の金属板からなるストッパ１１が取り付けられている。ヒンジピン１０はＬ字型に屈曲された金属製のヒンジ金具１２に設けた一対の腕部１２ａ，１２ｂに挿通されて支持され、ヒンジ金具１２はねじ１３で肩体７に固定されている。
【００２１】
図２は、ヒンジピン１０とストッパ１１の取り付けた様子を分かりやすくするために、蓋体３を取外した状態を示している。肩体７の上端面には壁部１４が突設され、ヒンジピン１０およびヒンジ金具１２は、壁部１４の外側に取り付けられている。ストッパ１１は、ヒンジピン１０と平行な基部１１ａと、該基部１１ａの両側から垂下された側板部１１ｂと、基部１１ａの上端に突設された第１当接部１１ｃとからなり、側板部１１ｂの下端は第２当接部１１ｄとなっている。このストッパ１１は、側板部１１ｂがヒンジピン１０に挿通されて回動可能に取り付けられており、ヒンジピン１０の軸方向への動きは、ヒンジ金具１２の腕部１２ａ，１２ｂによって規制されている。また、図３から５に示すように、蓋体３は、外蓋３ａとリング３ｂとからなっており、リング３ｂは、突起状の係止部３ｃを有している。この係止部３ｃは、ストッパ１１の第１当接部１１ｃと当接するようになっている。壁部１４の上端は、ストッパ１１の第１当接部１１ｃと当接する第１ストッパ規制部１４ａである。また、ヒンジ金具１２の垂直部は、ストッパ１１の第２当接部１１ｄと当接する第２ストッパ規制部１２ｃになっている。
【００２２】
次に、図３から５を参照しながら、蓋体３の開閉動作について説明する。図３は蓋体３を閉じた状態である。このときストッパ１１は、第１当接部１１ｃが肩体７の壁部１４の第１ストッパ規制部１４ａに載っており、これ以上ストッパ１１は、時計回りに倒れることがない。蓋体３をヒンジピン１０を軸として反時計方向に回動させて少し開けると、蓋体３の内側に設けられた係止部３ｃがストッパ１１の第１当接部１１ｃに当接する。図４に示すように、さらに蓋体３を開けると、蓋体３は、係止部３ｃによってストッパ１１の第１当接部１１ｃを持ち上げ、ストッパ１１をヒンジピン１０を軸として反時計方向に回動させる。そして最大の開き角度まで蓋体３を開くと、図５に示すように、ストッパ１１の側板部１１ｂの下端に設けられた第２当接部１１ｄは、ヒンジ金具１２の第２ストッパ規制部１２ｃに当接する。すると、ストッパ１１はそれ以上反時計方向に回動することができなくなり、蓋体３も係止部３ｃがストッパ１１の第１当接部１１ｃに係止されてそれ以上反時計方向に回動することができない。このように、ストッパ１１は、第１当接部１１ｃが壁部１４の第１ストッパ規制部１４ａに当接する角度と、第２当接部１１ｄがヒンジ金具１２の第２ストッパ規制部１２ｃに当接する角度との間に回動範囲を規制されており、第１当接部１１ｃが蓋体３の回動を規制する蓋規制部として作用することで、蓋体３を最大の開き角度を越えて開放しないように規制している。
【００２３】
蓋体３の回動範囲を規制するためには、従来の構造によれば、蓋体３ａが最大の開き角度の状態で係止部３ｃに当接するように第１当接部（蓋規制部）を固定しなければならない。しかし、本実施形態では、蓋規制部１１ｃによって蓋体３の回動を規制する構造と、第２ストッパ規制部１２ｃによってストッパ１１の回動を規制する構造との２つを組み合わせた蓋ストッパ構造としている。つまり、蓋体３の係止部３ｃが回動する角度を、蓋体３が完全に閉塞した状態から係止部３ｃが第１当接部１１ｃに当接するまでの角度と、係止部３ｃが第１当接部１１ｃに当接してから最大に開放した状態までの角度とに２分割し、前者の角度を得るために必要な機構を従来と同様に蓋体３の厚みの中に収納し、後者の角度を得るために必要な機構をヒンジピン１０の下の肩体７の厚みの中に収納しているのである。
【００２４】
このように、本発明によれば、スペースを有効利用して蓋ストッパ構造を配置できるので、蓋ストッパを実装するために大きなスペースを新たに確保する必要がない。
【００２５】
また、支点となるヒンジピン１０から、破損のおそれがない金属製のヒンジ金具１２と当接する第２当接部１１ｄまでの距離は短くしてあるが、破損しやすい樹脂製の蓋体３の係止部３ｃまでの距離は十分に長く取り、大きな力が係止部３ｃに働かないようにしており、さらに、係止部３ｃを蓋体３の比較的強度が得やすい中心に近い位置に設けている。これによって、蓋ストッパ構造のための補強が少なくて済み、結果として、蓋ストッパ構造を小さくできる。
【図面の簡単な説明】
【００２６】
【図１】本発明の蓋ストッパ構造を備えた炊飯器の断面図。
【図２】図１の炊飯器の蓋ストッパ部分の斜視図。
【図３】図１の炊飯器の蓋体を閉じた状態の部分断面図。
【図４】図１の炊飯器の蓋体を半開にした状態の部分断面図。
【図５】図１の炊飯器の蓋体を最大に開いた状態の部分断面図。
【符号の説明】
【００２７】
１  炊飯器
２  本体
３  蓋体
３ｃ  係止部
１０  ヒンジピン
１１  ストッパ
１１ａ  基部
１１ｂ  側板部
１１ｃ  蓋規制部（第１当接部）
１１ｄ  第２当接部
１２  ヒンジ金具
１２ａ  腕部
１２ｂ  腕部
１２ｃ  第２ストッパ規制部
１４  壁部
１４ａ  第１ストッパ規制部
【図１】
2005198962.tif 000003
【図２】
2005198962.tif 000004
【図３】
2005198962.tif 000005
【図４】
2005198962.tif 000006
【図５】
2005198962.tif 000007